(57)【要約】【課題】器具本体にセードが取り付けられた状態で、セードの移動を規制することで、意図しない時に器具本体からセードが外れないように構成した照明器具のセード取付構造およびこれを用いた照明器具を提供することを目的とする。【解決手段】器具本体２に設けられた受具２４に、セード３に設けられたフレーム３１を載置させて、器具本体２にセード３を取り付ける照明器具１のセード取付構造であって、受具２４に設けられ、フレーム３１が載置された状態で、フレーム３１の水平方向の移動を規制する引掛部２５と、器具本体２に受具２４に対して相対移動可能に取り付けられ、フレーム３１の鉛直方向の移動を規制する規制位置Ｐ１と、フレーム３１の鉛直方向の移動を許容する非規制位置Ｐ２とに切り替えられる係止部２６・２６と、を備える。【選択図】図１
2007280732.tif 000002
【特許請求の範囲】
【請求項１】
器具本体に設けられた載置部に、セードに設けられた被載置部を載置させて、該器具本体に該セードを取り付ける照明器具のセード取付構造であって、
前記載置部に設けられ、前記被載置部が載置された状態で、該被載置部の水平方向の移動を規制する引掛部と、
前記器具本体に前記載置部に対して相対移動可能に取り付けられ、平面視で前記載置部に載置された状態の前記被載置部の上方で重なって、前記被載置部の鉛直方向の移動を規制する規制位置と、前記平面視で前記載置部に載置された状態の被載置部と重ならないように待避されて、前記被載置部の鉛直方向の移動を許容する非規制位置とに切り替えられる係止部と、
を備えることを特徴とする照明器具のセード取付構造。
【請求項２】
前記係止部は、前記器具本体に水平方向に回動可能に設けられることを特徴とする請求項１に記載の照明器具のセード取付構造。
【請求項３】
前記載置部と前記係止部との上下方向の間隔が、前記被載置部の高さ寸法よりも大きいことを特徴とする請求項１または請求項２に記載の照明器具のセード取付構造。
【請求項４】
前記載置部は、上端が前記器具本体の下面に接続され、上下方向中途部に水平方向に開口された切欠部が設けられた垂直部を有し、
前記係止部は、前記規制位置にて前記切欠部に係合した状態で停止されることを特徴とする請求項１から請求項３までのいずれか一項に記載の照明器具のセード取付構造。
【請求項５】
前記載置部および前記係止部は、器具本体の対辺の縁部にそれぞれ少なくとも一箇所に設けられることを特徴とする請求項１から請求項４までのいずれか一項に記載の照明器具のセード取付構造。
【請求項６】
請求項１から請求項５までのいずれか一項に記載の照明器具のセード取付構造を備えてなることを特徴とする照明器具。
【発明の詳細な説明】
【技術分野】
【０００１】
本発明は、照明器具のセード取付構造およびこれを用いた照明器具に関し、より詳細には、器具本体に設けられた載置部に、セードに設けられた被載置部が載置されることで、該器具本体に該セードが取り付けられる照明器具のセード取付構造およびこれを用いた照明器具に関する。
【背景技術】
【０００２】
従来、照明器具のセード取付構造に関する技術は公知となっている。例えば、特許文献１に記載のとおりである。
特許文献１には、天井面に対向して固定的に保持される器具本体の両側に側方へ突出する載置部を設け、光源を囲繞するセード（カバー）の両側に前記載置部に載置される被載置部を設け、前記器具本体と前記セードとに、前記載置部と前記被載置部との接合時に前記セードの水平方向の動きを制限して前記載置部からの前記被載置部の外れを阻止する引掛部を設け、前記照明器具本体の両側に前記セードに弾発的に接合してそのセードに下向きの力を付与する弾性可撓部材の一端を取付けたことを特徴とする照明器具のセード支持構造が開示されている。
【０００３】
特許文献１に開示される構造によれば、弾性可撓部材によりセードの振動を抑えて脱落事故を防止することができ、また、弾性可撓部材を上方へ撓ませつつセードを上方へ押すことにより引掛部の係合を解除してセードの取り外しおよび取付けを簡単に行うことができる。すなわち、弾性可撓部材を上方へ撓ませつつセードを押し上げると載置部から被載置部が離れ、引掛部も引掛部の上方へ退避し、この状態でセードを一側に寄せてから下方へ下げることにより、寄せた側の支持金具からセードの一側を外すことができ、同じ操作をセードの他側において行うことによりセードの他側を器具本体から外すことができる。また、セードの取付けは上述した操作の逆の動作により行うことができる。
【特許文献１】実開昭５７−１０１４０７号公報
【発明の開示】
【発明が解決しようとする課題】
【０００４】
しかし、特許文献１に開示されている構造では、例えば、セードを器具本体に取り付ける際に、一側を取り付けた後、何かの拍子でセードを持っている手を離してしまった場合、セードが一側の接合部を支点として回動し、その反動で弾性可撓部材を上方へ押し上げてしまうことで、器具本体からセードが外れてしまう場合があった。器具本体にセードが取り付けられている状態であっても、地震等の振動でセードの一側が外れ、さらに、セードの他側も外れて、器具本体からセードが外れてしまう場合があった。
【０００５】
本発明は以上の状況に鑑み、器具本体にセードが取り付けられた状態で、セードの移動を規制することで、意図しない時に器具本体からセードが外れないように構成した照明器具のセード取付構造およびこれを用いた照明器具を提供することを目的とする。
【課題を解決するための手段】
【０００６】
本発明の解決しようとする課題は以上のとおりであり、次にこの課題を解決するための手段を説明する。
【０００７】
すなわち、請求項１においては、
器具本体に設けられた載置部に、セードに設けられた被載置部を載置させて、該器具本体に該セードを取り付ける照明器具のセード取付構造であって、
前記載置部に設けられ、前記被載置部が載置された状態で、該被載置部の水平方向の移動を規制する引掛部と、
前記器具本体に前記載置部に対して相対移動可能に取り付けられ、平面視で前記載置部に載置された状態の前記被載置部の上方で重なって、前記被載置部の鉛直方向の移動を規制する規制位置と、前記平面視で前記載置部に載置された状態の被載置部と重ならないように待避されて、前記被載置部の鉛直方向の移動を許容する非規制位置とに切り替えられる係止部と、
を備えるものである。
【０００８】
請求項２においては、
前記係止部は、前記器具本体に水平方向に回動可能に設けられるものである。
【０００９】
請求項３においては、
前記載置部と前記係止部との上下方向の間隔が、前記被載置部の高さ寸法よりも大きいものである。
【００１０】
請求項４においては、
前記載置部は、上端が前記器具本体の下面に接続され、上下方向中途部に水平方向に開口された切欠部が設けられた垂直部を有し、
前記係止部は、前記規制位置にて前記切欠部に係合した状態で停止されるものである。
【００１１】
請求項５においては、
前記載置部および前記係止部は、器具本体の対辺の縁部にそれぞれ少なくとも一箇所に設けられるものである。
【００１２】
請求項６においては、
請求項１から請求項５までのいずれか一項に記載の照明器具のセード取付構造を備えてなるものである。
【発明の効果】
【００１３】
本発明の効果として、以下に示すような効果を奏する。
【００１４】
請求項１においては、器具本体に設けられた載置部に、セードに設けられた被載置部が載置された状態で、引掛部により被載置部の水平方向の移動が規制されるとともに、係止部が非規制位置から規制位置に切り替えられることで、係止部により被載置部の鉛直方向の移動が規制され、セードの水平方向および鉛直方向の移動を確実に規制することができ、意図しない時に器具本体からセードが外れることがない。
【００１５】
請求項２においては、係止部の規制位置と非規制位置との切り替えが、係止部を回動操作するだけででき、取扱性を向上できる。
【００１６】
請求項３においては、係止部が、載置部に載置されている被載置部よりも上方に位置して、被載置部によって係止部の規制位置と非規制位置との切り替えが遮断されないので、規制位置と非規制位置との切り替えを円滑にできる。
【００１７】
請求項４においては、係止部が規制位置にて切欠部に係合した状態で停止されることにより、係止部の規制位置の位置決めが容易となり、誤操作を防止することができる。
【００１８】
請求項５においては、セードが器具本体の対辺にて、載置部および係止部を介して取り付けられることで、簡易な構成で器具本体にセードを確実に取り付けることができる。
【００１９】
請求項６においては、器具本体とセードとがセード取付構造により取り付けられることにより、器具本体にセードを確実に取り付けることができ、意図しない時に器具本体からセードが外れないように構成できる。
【発明を実施するための最良の形態】
【００２０】
次に、発明を実施するための最良の形態を説明する。
【００２１】
本実施例に係るセード取付構造を備える照明器具１は、図１および図２に示すようにワイヤー９・９・９・９により天井等につり下げられ、若しくは天井に直接取り付けられて使用されるものであり、器具本体２と、セード３とを具備してなる。照明器具１は、セード取付構造を構成する載置部である受具２４・２４・２４・２４と、被載置部であるフレーム３１・３１とを備えており、器具本体２に設けられた受具２４・２４・２４・２４に、セード３に設けられたフレーム３１・３１が載置されて、器具本体２にセード３が取り付けられる。なお、本実施例においては、照明器具１を天井につり下げた状態について説明する。
【００２２】
セード３は、中央部に開口部を有する平面視ロ字状に形成され、上部が開放された箱型部材として構成されている。このセード３は、側壁等が半透過の素材により形成され、透過した光が側方および下方へ照射されるように構成されている。セード３の内側には、被載置部である棒状のフレーム３１・３１が内側面に横架されている。
フレーム３１・３１は、セード３の中心軸に対して線対称の位置であって、対向するセード３の二辺と平行に設けられ、上面がセード３の上面と略一致する高さに設けられている。後述するように、フレーム３１は、器具本体２の縁部に対して略平行に配置され、器具本体２の側面から突出された受具２４・２４に載置される。
また、セード３の内側には、フレーム３１・３１と直交するように棒状のフレーム３２・３２が内側面に横架されている。フレーム３２・３２は、セード３の中心軸に対して線対称の位置であって、対向するセード３の二辺と平行に設けられ、上面がセード３の上面と略一致する高さに設けられており、フレーム３１・３１との交差部においてフレーム３１・３１に一体的に結合されている。フレーム３２・３２は、器具本体２の縁部に対して略平行に配置され、受具２４・２４および引掛部２５・２５の外側面に当接可能に設けられている。なお、フレーム３２は、受具２４または引掛部２５または器具本体２の外側面に当接可能に構成されていればよく、例えば、フレーム３２とフレーム３１との交差部にだけ、受具２４または引掛部２５または器具本体２の外側面に当接する部材を設けてもよい。
【００２３】
器具本体２は、図１および図２に示すように中央部に開口部を有する平面視ロ字状に形成されている板状の枠部材として構成されている。この器具本体２の上面の四隅近傍には、ワイヤー９・９・９・９が連結されており、器具本体２は、ワイヤー９・９・９・９によりケース４につり下げられる。ケース４には、図示せぬ点灯装置、接続器具等が収納されており、この接続器具等が天井に埋め込まれた図示せぬ電源と接続されている。また、器具本体２の下面の四辺には、ランプ２２・２２・２２・２２が差し込まれるソケット２１・２１・２１・２１が各辺に斜設されており、ソケット２１・２１・２１・２１は、図示せぬコードを介して前記点灯装置に接続されている。ランプ２２・２２・２２・２２は、ソケット２１・２１・２１・２１に差し込まれて、器具本体２に取り付けられたセード３の内部に配置される。
【００２４】
器具本体２の対向する一対の辺（対辺）の縁部には、図２に示すようにセード取付構造を構成する取付ユニット２３と、取付ユニット２８とがそれぞれ設けられている。図２に示すように対辺にそれぞれ設けられた取付ユニット２３・２３と、取付ユニット２８・２８とは、器具本体２の中心軸に対して対称となるように設けられている。具体的には、取付ユニット２３・２３および取付ユニット２８・２８は、器具本体２の対辺に設けられるとともに、軸中心に対して対角線上に位置するようにして配置されている。なお、取付ユニット２３・２３、取付ユニット２８・２８は、それぞれ略同一形状となるように構成されるため、以下、特に断りのない限り、器具本体２の一辺に設けられた取付ユニット２３、取付ユニット２８の構成について説明する。
【００２５】
取付ユニット２３は、図３から図７に示すように載置部である受具２４と、引掛部２５と、係止部２６等とで構成されており、取付ユニット２８は、載置部である受具２４と、引掛部２５等とで構成されている。すなわち、本実施例のセード取付構造では、器具本体２の一辺に一組の取付ユニット２３・２８が設けられており、一方の取付ユニット２３においてのみ係止部２６が設けられ、他方の取付ユニット２８には係止部２６は設けられない。
【００２６】
受具２４は、側面視略クランク状に形成されており、垂直部２４ａと、上水平部２４ｂと、下水平部２４ｃとで構成されている。垂直部２４ａは、上端が器具本体２の縁部下面にネジ２４ｄ・２４ｄにより固定された上水平部２４ｂに接続されている。この垂直部２４ａの下端に下水平部２４ｃの一端が接続され、下水平部２４ｃは、垂直部２４ａとの接続部から器具本体２の外側に向けて略水平に突出されている。なお、垂直部２４ａには、後述するように規制位置Ｐ１にある係止部２６が係合される切欠部２７が形成されている（図３から図５参照）。
下水平部２４ｃの上面には、上述したフレーム３１が当接され、一つのフレーム３１が二つの受具２４（下水平部２４ｃ）の上面に載置されることで、器具本体２の一辺にセード３の一辺が係止される。また、下水平部２４ｃの外側端部は、略９０度上方に折り曲げられて引掛部２５が形成されている。なお、引掛部２５は、受具２４（下水平部２４ｃ）の外側端部に別部材を取り付けて構成してもよい。
器具本体２に設けられた一組の受具２４・２４は、器具本体２の外側方向に向けて側辺に対して直交する方向に突出され、それぞれが略平行となるように取り付けられている、また、器具本体２において、対辺に取り付けられた一組の受具２４・２４は、それぞれが反対方向に向くようにして取り付けられている。
【００２７】
係止部２６は、側面視略クランク状に形成されており、垂直部２６ａと、上水平部２６ｂと、下水平部２６ｃとで構成されている。本実施例の係止部２６は、受具２４の上方に配置されて、器具本体２に受具２４に対して相対移動可能に取り付けられており、係止部２６が器具本体２（および受具２４）に対して相対移動されることによって、上述した受具２４の切欠部２７に係脱されるように構成されている。
図５および図６に示すように、垂直部２６ａは、上端が器具本体２の縁部下面に、ネジ２６ｄに水平方向に回動自在に固定された上水平部２６ｂに接続されている。この垂直部２６ａの下端には下水平部２６ｃの一端が接続され、下水平部２６ｃは、垂直部２６ａとの接続部から器具本体２の外側に向けて略水平に突出されている。上水平部２６ｂは、受具２４の上水平部２４ｂの固定位置より内方に取り付けられており、側面視で、係止部２６の下水平部２６ｃと受具２４の下水平部２４ｃとが、略平行となるように設けられるとともに、下水平部２６ｃが下水平部２４ｃより上方に位置するように配置されている。この下水平部２６ｃと下水平部２４ｃとの上下方向の離間は、受具２４の下水平部２４ｃにフレーム３１が載置された状態で、フレーム３１の高さ寸法（長さ）よりも大きくなるように形成されている。
また、下水平部２６ｃの外側端部は、上方に略９０度に折り曲げられて操作部２９が形成されている。操作部２９は、係止部２６を水平方向に回動操作するための持ち手となる。操作部２９は、外側端部に別部材を取り付けて構成してもよい。
【００２８】
また、上述した受具２４には、図３から図５に示すように、垂直部２４ａの上下方向中途部に水平方向に開口された切欠部２７が形成されており、この切欠部２７は、係止部２６の下水平部２６ｃと同一平面上に位置するように形成され、器具本体２の外側から内側に向かって水平方向に切り欠かれて略コ字状となるように側方に向けて開口されている。切欠部２７の形状は、係止部２６の断面形状と略一致し、係止部２６が水平に回転移動されることによって、切欠部２７に係脱されるように形成されている。具体的には、係止部２６は、器具本体２の外側から内側に向けて回動されることによって、切欠部２７に係合された状態で停止される。切欠部２７の切欠幅（水平方向の長さ）は、係止部２６の幅（短手方向の長さ）と略一致し、切欠厚（垂直方向の長さ）は、係止部２６の厚さ（上下高さ）より若干大きくなるように形成されている。
【００２９】
ここで、本実施例の係止部２６は、器具本体２に対して水平方向に相対回動されることで、平面視で受具２４（下水平部２４ｃ）に当接した状態のフレーム３１と重なる位置まで移動されて、フレーム３１の鉛直方向の移動を規制する規制位置Ｐ１と、フレーム３１と重ならない位置まで待避されてフレーム３１の鉛直方向の移動を規制しない（許容する）非規制位置Ｐ２とに切り替え可能とされている（図２および図６参照）。
すなわち、係止部２６は、水平方向に回動操作されることによって、切欠部２７に挿入され、その側面が切欠部２７の側面に当接された状態（規制位置Ｐ１にある状態）で停止される。かかる状態にある係止部２６は、器具本体２に対する受具２４の突出方向と同一方向であって、その器具本体２からの突出長さが略同じになるように突出されて、受具２４の上方を覆うようにして停止されている。このとき、受具２４にフレーム３１が載置された状態では、係止部２６が平面視でフレーム３１の上方で重なる位置で停止され、フレーム３１は、受具２４と係止部２６とによって上下方向を囲繞されて鉛直方向の移動が規制される。
一方、係止部２６は、規制位置Ｐ１にある状態から水平方向（図６に示す矢印方向）に回動操作されることで、切欠部２７より脱出され、器具本体２に対する受具２４の突出方向に略垂直に直交する方向に突出した状態（非規制位置Ｐ２にある状態）で停止される。かかる状態にある係止部２６は、受具２４に対してその上方を覆うことなく側方に待避されており、このとき、受具２４にフレーム３１が載置された状態では、フレーム３１は、係止部２６によって鉛直方向の移動が規制されることなく、受具２４に対して上方に移動可能となって、受具２４より取り外すことができる。また、受具２４にフレーム３１が載置されない状態では、フレーム３１を上下方向に移動させて受具２４に載置させることができる。
【００３０】
本実施例のセード３の取付構造においては、次のようにして器具本体２にセード３が着脱される。
【００３１】
セード３を器具本体２に取り付ける場合は、まず、器具本体２の両側に設けられた取付ユニット２３の係止部２６を、操作部２９を持って水平方向に回動させて、非規制位置Ｐ２まで待避させておく（図６および図７参照）。
かかる状態で、器具本体２の下方からセード３の一側を持ち上げて、一方のフレーム３１を、器具本体２の一側に設けられた取付ユニット２３・２８の受具２４・２４の下水平部２４ｃに上方より載置させて、器具本体２にセード３の一側を取り付ける（図８参照）。それぞれの受具２４の下水平部２４ｃには引掛部２５が設けられているため、この引掛部２５によって、受具２４に載置されたフレーム３１は、器具本体２の外側方向への移動が規制される。また、一側のフレーム３１の器具本体２の外側方向への移動が引掛部２５によって規制されることにより、他側のフレーム３１の器具本体２の内側方向への移動も規制されることになる。
そして、取付ユニット２３・２８のうち、一方の取付ユニット２３において、操作部２９を持って、係止部２６を非規制位置Ｐ２に待避された状態から規制位置Ｐ１まで回動操作させる。これで、フレーム３１は、引掛部２５により水平方向の移動が規制され、かつ係止部２６により鉛直方向の移動が規制される。このようにして、フレーム３１は、受具２４と、引掛部２５と、係止部２６とで囲繞される。したがって、器具本体２にセード３の一側が取り付けられた状態で、セード３を持っている手を離しても器具本体２からセード３が外れることはない。
次に、セード３を持ち上げて、他側のフレーム３１を、受具２４・２４に設けられた引掛部２５を外側から内側に向かって越えるようにして受具２４・２４に載置させる。そして、他側についても同様に上記の操作を行うことで、セード３を器具本体２に取り付けることができる。かかる状態においては、フレーム３２の内側面に受具２４および引掛部２５の外側面が当接されることにより、セード３の水平方向（受具２４の突出方向に直交する方向）の移動が規制されて、器具本体２に対するセード３の取付位置が保持される。
【００３２】
一方、セード３を器具本体２から取り外す場合は、まず、器具本体２の一側に設けられた取付ユニット２３の係止部２６を、操作部２９を持って水平方向に回動させて、規制位置Ｐ１から非規制位置Ｐ２まで待避させる（図６および図７参照）。
そして、セード３の一側を持ち上げて、一側のフレーム３１を、受具２４・２４に設けられた引掛部２５を内側から外側に向かって越えるようにして受具２４・２４から取り外す。セード３の他側は、器具本体２に取り付けられており、この状態でセード３を持っている手を離しても器具本体２からセード３が外れることはない。
そして、他側についても一側と同様に上記の操作を行えば、セード３を器具本体２から取り外すことができる。
【００３３】
以上のように、本実施例の照明器具１のセード取付構造は、器具本体２に設けられた受具２４に、セード３に設けられたフレーム３１を載置させて、器具本体２にセード３を取り付ける照明器具１のセード取付構造であって、受具２４に設けられ、フレーム３１が載置された状態で、フレーム３１の水平方向の移動を規制する引掛部２５と、器具本体２に受具２４に対して相対移動可能に取り付けられ、平面視で受具２４に載置された状態のフレーム３１・３１の上方で重なって、フレーム３１の鉛直方向の移動を規制する規制位置Ｐ１と、前記平面視で受具２４に載置された状態のフレーム３１と重ならないように待避されて、フレーム３１の鉛直方向の移動を許容する非規制位置Ｐ２とに切り替えられる係止部２６・２６と、を備えるものである。
このような構成とすることで、器具本体２に設けられた載置部２４に、セード３に設けられたフレーム３１が載置された状態で、引掛部２５によりフレーム３１の水平方向の移動が規制されるとともに、係止部２６が非規制位置Ｐ２から規制位置Ｐ１に切り替えられることで、係止部２６によりフレーム３１の鉛直方向の移動が規制され、セード３の水平方向および鉛直方向の移動を確実に規制することができ、意図しない時に器具本体２からセード３が外れることがない。
【００３４】
特に、本実施例では、係止部２６・２６は、器具本体２に水平方向に回動可能に設けられるため、係止部２６・２６の規制位置Ｐ１と非規制位置Ｐ２との切り替えが、係止部２６・２６を回動操作するだけででき、取扱性を向上できる。
【００３５】
また、受具２４と係止部２６との上下方向の間隔が、フレーム３１の高さ寸法よりも大きいため、係止部２６が受具２４に載置されているフレーム３１よりも上方に位置することになるため、係止部２６が、受具２４に載置されているフレーム３１よりも上方に位置して、フレーム３１によって係止部２６の規制位置Ｐ１と非規制位置Ｐ２との切り替えが遮断されないので、規制位置Ｐ１と非規制位置Ｐ２との切り替えを円滑にできる。
【００３６】
また、受具２４は、上端が器具本体２の下面に接続され、上下方向中途部に水平方向に開口された切欠部２７が設けられた垂直部２４ａを有し、係止部２６は、規制位置Ｐ１にて切欠部２７に係合した状態で停止されるため、係止部２６が規制位置Ｐ１にて切欠部２７に係合した状態で停止されることにより、係止部２６の規制位置Ｐ１の位置決めが容易となり、誤操作を防止することができる。
【００３７】
また、受具２４および係止部２６は、器具本体２の対辺の縁部にそれぞれ少なくとも一箇所に設けられるため、セード３が器具本体２の対辺にて、受具２４および係止部２６を介して取り付けられることで、簡易な構成で器具本体２にセード３を確実に取り付けることができる。
【００３８】
なお、実施の形態は上記に限定されるものではなく、例えば次のように変更してもよい。
すなわち、本発明に係るセード取付構造を備える照明器具１は、天井等につり下げられ、若しくは天井に直接取り付けられて使用されるものに限定するものではない。
【００３９】
また、器具本体２およびセード３は、平面視ロ字状に形成されているものであるが、器具本体２およびセード３は、このような矩形のものに限定するものではなく、多角形であっても、円形であっても実施可能である。
【００４０】
また、被載置部としてのフレーム３１は、横架された棒状のフレーム３１としているが、棒状部分の長さは、受具２４の載置幅（下水平部２４ｃの幅）を確保していればよい。例えば、被載置部は、略コ字状の治具とし、この治具の両端を受具２４の位置でセード３に固定するようにしてもよい。
【００４１】
また、係止部２６は、器具本体２に水平方向に回動可能に設けられていることによるものであるが、規制位置Ｐ１と非規制位置Ｐ２とに切り替えることができればよい。例えば、係止部２６を器具本体２の縁部に摺動させる等して突出可能に設けて、係止部２６が器具本体２の縁部から外側に突出することで規制位置Ｐ１に位置し、係止部２６が内側に位置することで非規制位置Ｐ２に位置するように構成してもよい。
【００４２】
また、取付ユニット２３・２８は、器具本体２の対辺のそれぞれ両端に配置するようにしているが、取付ユニット２３・２８の配置や個数等は、これに限定するものではない。例えば、各辺の中央付近等に取付ユニット２３もしくは取付ユニット２８をさらに配置することもできる。また、取付ユニット２８・２８は、いずれも係止具２６を備える取付ユニット２３とし、フレーム３１・３１の鉛直移動を四箇所で規制するようにすることもできる。これらにより、セード３を器具本体２により確実に取り付けることができる。ただし、本実施例で示したように、取付ユニット２３は、器具本体２の対辺の縁部にそれぞれ少なくとも一箇所に設けられればよい。
【００４３】
また、係止部２６の器具本体２からの突出長さは、受具２４の突出長さと略同じでなくてもよい。
例えば、図９（ａ）に示すように係止部２６の突出長さが受具２４の突出長さよりも短い場合には、少なくとも、係止部２６の下水平部２６ｃの先端部と、受具２４の下水平部２４ｃの先端部との離間Ｌａ１が、フレーム３１の高さ方向長さＬ２および幅方向長さＬ３以内となるように形成される。
また、図９（ｂ）に示すように係止部２６の突出長さが受具２４の突出長さよりも長く、係止部２６が引掛部２５の上方に位置する場合は、少なくとも、引掛部２５の上端と係止部２６の下水平部２６ｃの下面との離間Ｌｂ１が、フレーム３１の高さ方向長さＬ２および幅方向長さＬ３以内となるように形成される。
また、図９（ｃ）に示すように係止部２６の突出長さが受具２４の突出長さよりも短く、係止部２６が引掛部２５の上方に位置する場合は、少なくとも、引掛部２５の上端部内側と係止部２６の下水平部２６ｃの先端部下側との離間Ｌｃ１が、フレーム３１の高さ方向長さＬ２および幅方向長さＬ３以内となるように形成される。
このような構成とすることで、フレーム３１が受具２４より係脱することがなく、係止部２６によってフレーム３１の垂直方向の移動をより確実に規制することができる。
【図面の簡単な説明】
【００４４】
【図１】照明器具１を示した側面図。
【図２】照明器具１を示した平面図。
【図３】取付ユニット２３を示した側方斜視図。
【図４】取付ユニット２３を示した下方斜視図。
【図５】規制位置Ｐ１に位置する係止部２６を示した側面図。
【図６】規制位置Ｐ１に位置する係止部２６を示した平面図。
【図７】非規制位置Ｐ２に位置する係止部２６を示した側面図。
【図８】器具本体２の一側にセード３の一側を取り付けた状態を示した側面図。
【図９】係止部２６の器具本体２からの突出長さと受具２４の突出長さとの関係を示した側面図。
【符号の説明】
【００４５】
１    照明器具
２    器具本体
３    セード
２４    受具（載置部）
２４ａ    垂直部
２４ｃ    水平部
２５    引掛部
２６    係止部
２７    切欠部
３１    フレーム（被載置部）
Ｐ１    規制位置
Ｐ２    非規制位置
【図１】
2007280732.tif 000003
【図２】
2007280732.tif 000004
【図３】
2007280732.tif 000005
【図４】
2007280732.tif 000006
【図５】
2007280732.tif 000007
【図６】
2007280732.tif 000008
【図７】
2007280732.tif 000009
【図８】
2007280732.tif 000010
【図９】
2007280732.tif 000011